(57)【要約】【課題】映像や音響コンテンツを供給する複数のコンテンツ提供装置が接続され、同時に入力される複数の映像情報を好適に処理する。【解決手段】ＡＶレシーバは、ピクチャ・イン・ピクチャ、すなわち、親画面の中に子画面を映し出す機能を搭載している。現在入力選択中のテレビ番組や映画などを視聴中に、例えば、ユーザが災害時の臨時ニュースやセキュリティ用監視カメラ、子供部屋などへの配信などを閲覧したくなったときには、ピクチャ・イン・ピクチャにより視聴中の映像の見たいシーンを見逃すことなく、同時閲覧することができる。【選択図】  図３
2008072279.tif 000002
【特許請求の範囲】
【請求項１】
外部から入力される映像信号を増幅して出力する映像情報処理装置であって、
映像信号を入力する複数の映像信号入力手段と、
前記複数の映像信号入力手段から入力される映像信号の中から、親画面及び子画面となる映像信号をそれぞれ設定する入力選択手段と、
ピクチャ・イン・ピクチャ設定されたことに応じて、親画面の中に子画面を重ね合わせたピクチャ・イン・ピクチャ画面を生成するピクチャ・イン・ピクチャ機能実行手段と、
親画面又はピクチャ・イン・ピクチャ画面を構成する映像信号を指定された出力先の信号フォーマットに変換して出力する映像信号出力手段と、
を具備することを特徴とする映像情報処理装置。
【請求項２】
前記ピクチャ・イン・ピクチャ機能実行手段は、子画面の子画面となる映像信号の入力信号フォーマットを検出し、子画面入力信号を親画面の入力信号フォーマットへ変換してから、親画面の中に子画面を重ね合わせたピクチャ・イン・ピクチャ画面を生成する、
ことを特徴とする請求項１に記載の映像情報処理装置。
【請求項３】
ピクチャ・イン・ピクチャ画面内における子画面の位置変更に関する指示を入力する手段をさらに備え、
前記ピクチャ・イン・ピクチャ機能実行手段は、親画面の入力信号フォーマットへ変換した子画面入力信号を、前記の指示に従った座標位置に変更して親画面の中に子画面を重ね合わせる、
ことを特徴とする請求項２に記載の映像情報処理装置。
【請求項４】
ピクチャ・イン・ピクチャ画面内における子画面のサイズ変更に関する指示を入力する手段をさらに備え、
前記ピクチャ・イン・ピクチャ機能実行手段は、親画面の入力信号フォーマットへ変換した子画面入力信号を、前記の指示に従ったサイズに変更した子画面を親画面の中に重ね合わせる、
ことを特徴とする請求項２に記載の映像情報処理装置。
【請求項５】
外部から入力される映像信号を増幅して出力する映像情報処理方法であって、
複数の入力映像信号の中から、親画面及び子画面となる映像信号をそれぞれ設定する入力選択ステップと、
ピクチャ・イン・ピクチャ設定されたことに応じて、親画面の中に子画面を重ね合わせたピクチャ・イン・ピクチャ画面を生成するピクチャ・イン・ピクチャ機能実行ステップと、
親画面又はピクチャ・イン・ピクチャ画面を構成する映像信号を指定された出力先の信号フォーマットに変換して出力する映像信号出力ステップと、
を具備することを特徴とする映像情報処理方法。
【請求項６】
前記ピクチャ・イン・ピクチャ機能実行ステップでは、子画面の子画面となる映像信号の入力信号フォーマットを検出し、子画面入力信号を親画面の入力信号フォーマットへ変換してから、親画面の中に子画面を重ね合わせたピクチャ・イン・ピクチャ画面を生成する、
ことを特徴とする請求項５に記載の映像情報処理方法。
【請求項７】
ピクチャ・イン・ピクチャ画面内における子画面の位置変更に関する指示を入力するステップをさらに備え、
前記ピクチャ・イン・ピクチャ機能実行ステップでは、親画面の入力信号フォーマットへ変換した子画面入力信号を、前記の指示に従った座標位置に変更して親画面の中に子画面を重ね合わせる、
ことを特徴とする請求項６に記載の映像情報処理方法。
【請求項８】
ピクチャ・イン・ピクチャ画面内における子画面のサイズ変更に関する指示を入力するステップをさらに備え、
前記ピクチャ・イン・ピクチャ機能実行ステップでは、親画面の入力信号フォーマットへ変換した子画面入力信号を、前記の指示に従ったサイズに変更した子画面を親画面の中に重ね合わせる、
ことを特徴とする請求項６に記載の映像情報処理方法。
【請求項９】
外部から入力される映像信号を増幅して出力するための映像情報処理をコンピュータで実行するようにコンピュータ可読形式で記述されたコンピュータ・プログラムであって、前記コンピュータに対し、
複数の入力映像信号の中から、親画面及び子画面となる映像信号をそれぞれ設定する入力選択手順と、
ピクチャ・イン・ピクチャ設定されたことに応じて、親画面の中に子画面を重ね合わせたピクチャ・イン・ピクチャ画面を生成するピクチャ・イン・ピクチャ機能実行手順と、
親画面又はピクチャ・イン・ピクチャ画面を構成する映像信号を指定された出力先の信号フォーマットに変換して出力する映像信号出力手順と、
を実行させることを特徴とするコンピュータ・プログラム。
【発明の詳細な説明】
【技術分野】
【０００１】
本発明は、映像や音響コンテンツを供給する複数のコンテンツ提供装置が接続され、ユーザ操作に従って入力される音声信号及び映像信号を切り換えるとともに、入力信号に対して所定の信号処理及び増幅を行なって、モニタ・ディスプレイやスピーカなどに外部出力する映像情報処理装置及び映像情報処理方法、並びにコンピュータ・プログラムに係り、特に、同時に入力される複数の映像情報を処理する映像情報処理装置及び映像情報処理方法、並びにコンピュータ・プログラムに関する。
【０００２】
さらに詳しくは、本発明は、現在入力選択中の映像情報を再生出力している間にさらに外部から同時入力される映像情報を処理する映像情報処理装置及び映像情報処理方法、並びにコンピュータ・プログラムに係り、特に、現在入力選択中の映像情報をユーザが見逃すことなく、外部から同時入力される他の映像情報を処理する映像情報処理装置及び映像情報処理方法、並びにコンピュータ・プログラムに関する。
【背景技術】
【０００３】
近年、テレビ・チューナやラジオ・チューナ、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などのメディア・プレーヤ、ＶＣＲ（ビデオカセットレコーダ）、デジタルスチルカメラやカムコーダなど、さまざまなコンテンツ提供装置からの信号を増幅して、再生出力する「ＡＶレシーバ」が普及している。ＡＶレシーバは、映像や音響コンテンツを供給する複数のコンテンツ提供装置が接続され、ユーザ操作に従って入力される音声信号及び映像信号を切り換えるとともに、入力信号に対して所定の信号処理及び増幅を行なって、モニタ・ディスプレイやスピーカなどに外部出力する。
【０００４】
例えば、メモリカードに記録された情報の読み出し及びメモリカードに情報の書き込みを行なうメモリカードドライブを搭載し、メモリカードに個人の好みにあった機能及び設定情報を個人毎に記憶させて、メモリカードに記憶させた機能及び設定情報により各個人の所望の機能及び設定にカスタマイズするようにしたＡＶレシーバについて提案がなされている（例えば、特許文献１を参照のこと）。
【０００５】
また、リモコンの受光信号と受信端子とを対応付けて記憶して、操作コマンドを各コンテンツ再生装置に送信して、複数のユーザ操作に基づいて複数のコンテンツ再生装置を同時に操作できる増幅装置について提案がなされている（例えば、特許文献２を参照のこと）。
【０００６】
ＡＶレシーバは、映像コンテンツを提供する複数のコンテンツ提供装置を外部接続することができるが、基本的には、これらの外部入力の中から選択された１入力映像しか映し出すことができず、複数の入力映像を同時に１つのモニタ・ディスプレイに映し出すことはできない。
【０００７】
ユーザは、現在入力選択中のテレビ番組や映画などを視聴中に他の映像を見たくなったときには、映し出すコンテンツ若しくはこれを供給するコンテンツ提供装置を切り替える必要がある。
【０００８】
このため、テレビ・チューナの受信映像などの等時性が要求される映像を視聴中に、緊急を要する映像情報が入力された際には、ユーザはＡＶレシーバを操作して等時性コンテンツの視聴を一時的に停止して、これに代わって緊急を要する映像情報の表示出力に切り替える必要がある。
【０００９】
しかしながら、緊急を要する映像情報をモニタ・ディスプレイに映し出している間は、テレビ・チューナの受信映像など元々映し出していた映像情報の表示出力が一時的に途切れ、ユーザが見たいシーンを逃してしまうという問題がある。一方、緊急を要する映像情報が入力された場合であっても、映像信号の入力元を切り替えることなく、テレビの受信映像など元の映像を表示し続けると、ユーザは緊急性を要する映像情報を確認することができず、この結果、ユーザは、情報の不知による不測の損害を被りかねない
【００１０】
【特許文献１】特開２００３−１５２５７４号公報
【特許文献２】特開２００６−４４８９号公報
【発明の開示】
【発明が解決しようとする課題】
【００１１】
本発明の目的は、映像や音響コンテンツを供給する複数のコンテンツ提供装置が接続され、同時に入力される複数の映像情報を好適に処理することができる、優れた映像情報処理装置及び映像情報処理方法、並びにコンピュータ・プログラムを提供することにある。
【００１２】
本発明のさらなる目的は、現在入力選択中の映像情報をユーザが見逃すことなく、外部から同時入力される他の映像情報を処理することができる、優れた映像情報処理装置及び映像情報処理方法、並びにコンピュータ・プログラムを提供することにある。
【課題を解決するための手段】
【００１３】
本発明は、上記課題を参酌してなされたものであり、その第１の側面は、外部から入力される映像信号を増幅して出力する映像情報処理装置であって、
映像信号を入力する複数の映像信号入力手段と、
前記複数の映像信号入力手段から入力される映像信号の中から、親画面及び子画面となる映像信号をそれぞれ設定する入力選択手段と、
ピクチャ・イン・ピクチャ設定されたことに応じて、親画面の中に子画面を重ね合わせたピクチャ・イン・ピクチャ画面を生成するピクチャ・イン・ピクチャ機能実行手段と、
親画面又はピクチャ・イン・ピクチャ画面を構成する映像信号を指定された出力先の信号フォーマットに変換して出力する映像信号出力手段と、
を具備することを特徴とする映像情報処理装置である。
【００１４】
テレビ・チューナやラジオ・チューナ、ＣＤやＤＶＤ（などのメディア・プレーヤ、ＶＣＲ（ビデオカセットレコーダ）、デジタルスチルカメラやカムコーダなど、さまざまなコンテンツ提供装置からの映像信号を増幅して再生出力する、ＡＶレシーバとも呼ばれる映像情報処理装置が普及している。
【００１５】
しかしながら、旧来のＡＶレシーバは、複数のコンテンツ提供装置を外部接続するものの、選択された１入力映像しか映し出すことができず、複数の入力映像を同時に１つのモニタ・ディスプレイに映し出すことはできない。このため、現在入力選択中のテレビ番組や映画などを視聴中に他の映像を見たくなったときには、映し出すコンテンツ若しくはこれを供給するコンテンツ提供装置を切り替える必要があり、入力映像を切り替えている期間にユーザが見たいシーンを逃してしまうという問題がある。
【００１６】
これに対し、本発明に係る映像情報処理装置は、ピクチャ・イン・ピクチャ（ＰｉＰ）、すなわち、親画面の中に子画面を映し出す機能を搭載している。すなわち、ピクチャ・イン・ピクチャ機能実行手段は、ピクチャ・イン・ピクチャ設定されたことに応じて、親画面の中に子画面を重ね合わせたピクチャ・イン・ピクチャ画面を生成し、ピクチャ・イン・ピクチャ画面を構成する映像信号を指定された出力先の信号フォーマットに変換して出力するようになっている。
【００１７】
したがって、本発明によれば、ユーザが災害時の臨時ニュースやセキュリティ用監視カメラ、子供部屋などへの配信などを閲覧したくなったときには、ピクチャ・イン・ピクチャにより視聴中の映像の見たいシーンを見逃すことなく、子画面を同時閲覧して緊急性の高い映像情報を確認することができる。
【００１８】
前記ピクチャ・イン・ピクチャ機能実行手段は、子画面の子画面となる映像信号の入力信号フォーマットを検出し、子画面入力信号を親画面の入力信号フォーマットへ変換してから、親画面の中に子画面を重ね合わせたピクチャ・イン・ピクチャ画面を生成するようになっている。
【００１９】
ここで、ピクチャ・イン・ピクチャ画面内における子画面の位置変更に関する指示を入力する手段をさらに備えていても良い。このような場合、前記ピクチャ・イン・ピクチャ機能実行手段は、親画面の入力信号フォーマットへ変換した子画面入力信号を、前記の指示に従った座標位置に変更して親画面の中に子画面を重ね合わせるようにすればよい。
【００２０】
あるいは、ピクチャ・イン・ピクチャ画面内における子画面のサイズ変更に関する指示を入力する手段をさらに備えていても良い。このような場合、前記ピクチャ・イン・ピクチャ機能実行手段は、親画面の入力信号フォーマットへ変換した子画面入力信号を、前記の指示に従ったサイズに変更した子画面を親画面の中に重ね合わせるようにすればよい。
【００２１】
したがって、本発明に係る映像情報処理装置によれば、子画面の映像内容をより詳細に確認したいときには、親子間の入れ替えや、子画面のサイズ変更、位置変更によって実現することができる。
【００２２】
また、本発明の第２の側面は、外部から入力される映像信号を増幅して出力するための映像情報処理をコンピュータで実行するようにコンピュータ可読形式で記述されたコンピュータ・プログラムであって、前記コンピュータに対し、
複数の入力映像信号の中から、親画面及び子画面となる映像信号をそれぞれ設定する入力選択手順と、
ピクチャ・イン・ピクチャ設定されたことに応じて、親画面の中に子画面を重ね合わせたピクチャ・イン・ピクチャ画面を生成するピクチャ・イン・ピクチャ機能実行手順と、
親画面又はピクチャ・イン・ピクチャ画面を構成する映像信号を指定された出力先の信号フォーマットに変換して出力する映像信号出力手順と、
を実行させることを特徴とするコンピュータ・プログラムである。
【００２３】
本発明の第２の側面に係るコンピュータ・プログラムは、コンピュータ上で所定の処理を実現するようにコンピュータ可読形式で記述されたコンピュータ・プログラムを定義したものである。換言すれば、本発明の第２の側面に係るコンピュータ・プログラムをコンピュータにインストールすることによって、コンピュータ上では協働的作用が発揮され、本発明の第１の側面に係る映像情報処理装置と同様の作用効果を得ることができる。
【発明の効果】
【００２４】
本発明によれば、映像や音響コンテンツを供給する複数のコンテンツ提供装置が接続され、同時に入力される複数の映像情報を好適に処理することができる、優れた映像情報処理装置及び映像情報処理方法、並びにコンピュータ・プログラムを提供することができる。
【００２５】
また、本発明によれば、現在入力選択中の映像情報をユーザが見逃すことなく、外部から同時入力される他の映像情報を処理することができる、優れた映像情報処理装置及び映像情報処理方法、並びにコンピュータ・プログラムを提供することができる。
【００２６】
本発明によれば、ＡＶレシーバへの複数の外部入力の中で、現在選択中のテレビ番組や映画などを視聴中に、例えば災害時の臨時ニュースやセキュリティ用監視カメラなどの他の外部入力を同時閲覧することができる。したがって、ユーザは、見たいシーンの見逃しや、視聴位置を変えるといった操作は必要でない。勿論、ＡＶレシーバがＨＤＭＩインターフェースやアナログ・ビデオ出力端子を持つことにより、安価な低機能のテレビ・モニタ上でも２画面同時閲覧を行なうことができる。
【００２７】
本発明のさらに他の目的、特徴や利点は、後述する本発明の実施形態や添付する図面に基づくより詳細な説明によって明らかになるであろう。
【発明を実施するための最良の形態】
【００２８】
以下、図面を参照しながら本発明の実施形態について詳解する。
【００２９】
図１には、ＡＶレシーバの利用環境を模式的に示している。ＡＶレシーバは、ＨＤＭＩ（Ｈｉｇｈ  Ｄｉｆｉｎｉｔｉｏｎ  Ｍｕｌｔｉｍｅｄｉａ  Ｉｎｔｅｒｆｅｃｅ）入出力端子や、ビデオ入出力端子、映像入出力端子、音声入出力端子、Ｓ映像入出力端子、シリアル・ポート、ＲＳ−２３２Ｃポートなど、デジタル並びにアナログの映像・音声信号を入出力する複数の端子（いずれも図示しない）を備え、同図に示すように、テレビ・チューナやラジオ・チューナ、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などのメディア・プレーヤ、ＶＣＲ（ビデオカセットレコーダ）、デジタルスチルカメラやカムコーダなどさまざまなコンテンツ提供装置を外部接続するとともに、映像・音声信号を増幅して、ＨＤＭＩ対応モニタ・ディスプレイやアナログのビデオ・ディスプレイ、スピーカなどに再生出力する。
【００３０】
ユーザは、赤外線リモコンなどを操作して、ＡＶレシーバで信号増幅及び再生出力する音声信号及び映像信号を切り換えることができる。本実施形態では、ＡＶレシーバは、セキュリティ用監視カメラや子供部屋などへの配信などの映像信号の入出力も行なうものとする。
【００３１】
図２には、ＡＶレシーバ内部における、特に映像信号の処理体系に関する構成例を示している。
【００３２】
メインＣＰＵ（Ｃｅｎｔｒａｌ  Ｐｒｏｃｅｓｓｉｎｇ  Ｕｎｉｔ）３は、キーやリモコンなどのユーザ・インタフェース１を介したユーザ操作に従って、ＡＶレシーバ全体の動作を統括的に制御し、ユーザの操作内容を表示管２に表示出力する。
【００３３】
メインＣＰＵ３は、シリアル・インターフェース（ＳＩ）、パラレル・インターフェース（ＰＩ）、Ｉ2Ｃインターフェースなどを介して、映像信号を描画処理するビデオ・プロセッサ４に入力すべき映像信号を、外部入力されるアナログＶ／Ｓ／Ｃ（但し、Ｖはコンポジット信号（ＣＶＢＳ）、ＳはＳ信号（Ｙ／Ｃ分離）、Ｃはコンポネント映像入力信号）５、内部のＧＵＩ生成部６から供給されるＡＶレシーバ設定状況を表示するＯＳＤ（Ｏｎ  Ｓｃｒｅｅｎ  Ｄｉｓｐｌａｙ）などのＧＵＩ映像信号、ＨＤＭＩインターフェースから受信しＨＤＭＩ受信バッファ７に格納されているデジタル映像信号のいずれかに切り替える。
【００３４】
また、メインＣＰＵ３は、ＵＡＲＴインターフェースを介してビデオ・プロセッサ４と接続しており、ノイズ除去や、子画面を親画面に重畳するピクチャ・イン・ピクチャ機能の実行、子画面のスケーリングなどの映像処理を指示する。ピクチャ・イン・ピクチャ処理の詳細については後述に譲る。ビデオ・プロセッサ４は、映像処理後の映像データを、ＨＤＭＩ送信バッファ８（但し、出力先がＨＤＭＩに指定されている場合）、又は、ビデオＤＡＣ９（但し、出力先がアナログ・ビデオ・モニタに指定されている場合）に出力する。
【００３５】
メインＣＰＵ３は、Ｉ2Ｃインターフェースを介して、ＨＤＭＩ送信バッファ８、ビデオＤＡＣ９に接続されている。ＨＤＭＩ送信バッファ８は、映像信号をＨＤＭＩ対応モニタに出力する。ビデオＤＡＣ９は、デジタル映像データをアナログ信号に変換し、モニタ・ミュート部１１を介してモニタ出力する。また、メインＣＰＵ３は、シリアル・インターフェース（ＳＩ）を介して、モニタ・ミュート部１１を制御する。
【００３６】
本実施形態に係るＡＶレシーバは、ピクチャ・イン・ピクチャ（ＰｉＰ）、すなわち、親画面の中に子画面を映し出す機能を搭載している。これによって、現在入力選択中のテレビ番組や映画などを視聴中に、例えば、ユーザが災害時の臨時ニュースやセキュリティ用監視カメラ、子供部屋などへの配信などを閲覧したくなったときには、ピクチャ・イン・ピクチャにより視聴中の映像の見たいシーンを見逃すことなく、同時閲覧することができる。また、子画面の映像内容をより詳細に確認したいときには、親子間の入れ替えや、子画面のサイズ変更、位置変更によって実現することができる。
【００３７】
子画面には、コンポネント信号、Ｓ信号、ＣＶＢＳ信号、ＨＤＭＩ信号、各種ＰＣ入力映像（ＶＥＳＡ規格）、カメラ映像、ゲーム映像、ゾーン配信映像など、ありとあらゆる外部映像信号を入力することができる。
【００３８】
また、親画面と子画面には任意の組み合わせの入力映像を同時に映し出すことが可能であり、両者の入れ替えも可能である。
【００３９】
また、子画面の大きさや位置は可変である。子画面の大きさや一変更のユーザ操作は、例えばリモコンの上下左右（カーソルキー）や十字キーを用いて行なうようにする。
【００４０】
図３〜図６には、ピクチャ・イン・ピクチャ画面のアニメーション動作例を示している。以下の説明では、子画面の位置はＰ（ｘ，ｙ）、サイズはＳ（ｈ、ｗ）と表記する。
【００４１】
子画面の位置、サイズの座標指定は親画面の四隅の左上を原点として親画面上に定義されたグリッド上に配置できるものとする。子画面の初期サイズは、図３に示すように、親画面の縦横ともに１／３とする。
【００４２】
子画面の位置、サイズの指定値は離散的な値であるが、位置、サイズ変更中の動作は子画面への入力映像が途切れることなく連続的に状態変化（アニメーション）できることが望ましい。
【００４３】
図４には、図３に示した初期状態から「移動と拡大の同時指令」した際のアニメーション例を示している。図示の例では、子画面の位置Ｐ及びサイズＳは、｛Ｐ（５、５）、Ｓ（３、３）｝→｛Ｐ（１、３）、Ｓ（４、４）｝のように変化している。
【００４４】
また、図５には、図３に示した初期状態から「拡大後に移動の指令」した際のアニメーション例を示している。図示の例では、子画面の位置Ｐ及びサイズＳは、｛Ｐ（５、５）、Ｓ（３、３）｝→｛Ｐ（５、５）、Ｓ（４、４）｝→｛Ｐ（１、３）、Ｓ（４、４）｝のように変化している。
【００４５】
また、図６には、図３に示した初期状態から「移動後に拡大の指令」した際のアニメーション例を示している。図示の例では、子画面の位置Ｐ及びサイズＳは、｛Ｐ（５、５）、Ｓ（３、３）｝→｛Ｐ（１、３）、Ｓ（３、３）｝→｛Ｐ（１、３）、Ｓ（４、４）｝のように変化している。
【００４６】
図７には、ＡＶレシーバにおいて、ピクチャ・イン・ピクチャ画面を表示するための処理手順をフローチャートの形式で示している。
【００４７】
まず、モニタ出力フォーマット、ＨＤＭＩ又はアナログ・ビデオのいずれかに設定する（ステップＳ１）。
【００４８】
次いで、親が面並びに子画面となる映像信号の入力をそれぞれ設定する（ステップＳ２、Ｓ３）。
【００４９】
次いで、親画面となる映像信号の入力信号フォーマットを検出する（ステップＳ４）。
【００５０】
次いで、ピクチャ・イン・ピクチャの設定が行なわれているかどうかをチェックする（ステップＳ５）。
【００５１】
ここで、ピクチャ・イン・ピクチャの設定が行なわれていないときには（ステップＳ５のＹｅｓ）、指定の出力フォーマットへ変換する（ステップＳ１３）。例えば、映像信号の出力先としてＨＤＭＩ対応モニタ・ディスプレイが指定されているときには、ビデオ・プロセッサ４は、映像情報をＨＤＭＩ信号フォーマットに変換して、ＨＤＭＩ送信バッファ８に出力する。また、映像信号の出力先としてアナログ・ビデオ・モニタが指定されているときには、ビデオ・プロセッサ４は、映像情報を該当するビデオ信号フォーマットに変換して、ビデオＤＡＣ９に出力する。その後、ステップＳ１へ復帰して、上記と同様の処理を繰り返し実行する。
【００５２】
一方、ピクチャ・イン・ピクチャの設定が行なわれているときには（ステップＳ５のＮｏ）、子画面となる映像信号の入力信号フォーマットを検出する（ステップＳ６）。例えば、キーやリモコン１を介してユーザから子画面の表示出力が指示されたとき、あるいはセキュリティ監視用カメラで不審物若しくは侵入者を検出した旨の通知をトリガとして、ピクチャ・イン・ピクチャの設定が行なわれる。
【００５３】
次いで、子画面入力信号を親画面の入力信号フォーマットへ変換する（ステップＳ７）。
【００５４】
ここで、キーやリモコン１を介して子画面の位置変更が指示されているときには（ステップＳ８のＹｅｓ）、子画面の座標変更処理を実行する（ステップＳ９）。
【００５５】
また、キーやリモコン１を介して子画面のサイズ変更が指示されているときには（ステップＳ１０のＹｅｓ）、子画面のスケーリング変更処理を実行する（ステップＳ１１）。ここでいう子画面のサイズ変更には、子画面と親画面の入れ替えも含むものとする。
【００５６】
次いで、このようにして得られた子画面を親画面と重ね合わせる処理を実行する（ステップＳ１２）。
【００５７】
そして、指定の出力フォーマットへ変換する（ステップＳ１３）。例えば、映像信号の出力先としてＨＤＭＩ対応モニタ・ディスプレイが指定されているときには、ビデオ・プロセッサ４は、映像情報をＨＤＭＩ信号フォーマットに変換して、ＨＤＭＩ送信バッファ８に出力する。また、映像信号の出力先としてアナログ・ビデオ・モニタが指定されているときには、ビデオ・プロセッサ４は、映像情報を該当するビデオ信号フォーマットに変換して、ビデオＤＡＣ９に出力する。そして、ステップＳ１へ復帰する。
【産業上の利用可能性】
【００５８】
以上、特定の実施形態を参照しながら、本発明について詳解してきた。しかしながら、本発明の要旨を逸脱しない範囲で当業者が該実施形態の修正や代用を成し得ることは自明である。
【００５９】
本明細書では、ＡＶレシーバに適用した実施形態を中心に説明してきたが、本発明の要旨はこれに限定されるものではない。映像や音響コンテンツを供給する複数のコンテンツ提供装置を外部接続し、外部から同時入力される複数の映像情報を処理する他のタイプの機器に対しても、同様に本発明を適用することができる。
【００６０】
要するに、例示という形態で本発明を開示してきたのであり、本明細書の記載内容を限定的に解釈するべきではない。本発明の要旨を判断するためには、特許請求の範囲を参酌すべきである。
【図面の簡単な説明】
【００６１】
【図１】図１は、ＡＶレシーバの利用環境を模式的に示した図である。
【図２】図２は、ＡＶレシーバ内部における、特に映像信号の処理体系に関する構成例を示した図である。
【図３】図３は、ピクチャ・イン・ピクチャ画面のアニメーション動作例を示した図である。
【図４】図４は、ピクチャ・イン・ピクチャ画面のアニメーション動作例を示した図である。
【図５】図５は、ピクチャ・イン・ピクチャ画面のアニメーション動作例を示した図である。
【図６】図６は、ピクチャ・イン・ピクチャ画面のアニメーション動作例を示した図である。
【図７】図７は、ＡＶレシーバにおいて、ピクチャ・イン・ピクチャ画面を表示するための処理手順を示したフローチャートである。
【符号の説明】
【００６２】
１…キー、リモコン
２…表示管
３…メインＣＰＵ
４…ビデオ・プロセッサ
５…アナログＶ／Ｓ／Ｃ
６…ＧＵＩ生成部
７…ＨＤＭＩ受信バッファ
８…ＨＤＭＩ送信バッファ
９…ビデオＤＡＣ
１１…モニタ・ミュート部
【図７】
2008072279.tif 000003
【図１】
2008072279.tif 000004
【図２】
2008072279.tif 000005
【図３】
2008072279.tif 000006
【図４】
2008072279.tif 000007
【図５】
2008072279.tif 000008
【図６】
2008072279.tif 000009